(57)【要約】【課題】壁の厚みが薄く、かつ壁の強度を維持できる建物を提供する。【解決手段】建物１は、内側面と外側面に凹部２Ａと凸部２Ｂが略鉛直方向に設けられた壁本体２と、壁本体２の凹部２Ａに配置された、略水平方向の断面形状が略四角形状の金属製の管３と、凹部２Ａを形成する壁本体２の面に沿って配置された断熱材４と、壁本体２の外側面の凹部２Ａに配置された金属製の管３に取付けられた外壁パネル５と、壁本体２の内側面の凹部２Ａに配置された金属製の管３に取付けられた角板６と、角板６に取付けられた合板７と、合板７に取付けられた石膏ボード８を備える。壁本体２は、鉄道、トラック、専用船または飛行機での貨物輸送に用いる金属製の大型の箱であるコンテナの壁を利用したものである。【選択図】図１
2014114644.tif 000002
【特許請求の範囲】
【請求項１】
所定の面に凹部と凸部が略鉛直方向に設けられた壁本体と、
該壁本体の前記凹部に配置された補強部とを備える
建物。
【請求項２】
前記補強部は、略鉛直方向に延びたものである
請求項１に記載の建物。
【請求項３】
前記壁本体は、コンテナの金属製の壁を利用したものである
請求項１または請求項２に記載の建物。
【請求項４】
前記補強部は、略水平方向の断面形状が略四角形状の金属製の管である
請求項３に記載の建物。
【請求項５】
前記凹部に配置された断熱材を備える
請求項１〜４のいずれか１つに記載の建物。
【請求項６】
前記補強部の略水平方向の長さは、前記凹部の略水平方向の長さ以下である
請求項１〜５のいずれか１つに記載の建物。
【請求項７】
前記補強部に取付けられた壁装材を備える
請求項１〜６のいずれか１つに記載の建物。
【請求項８】
前記壁本体に開口領域が設けられ、該開口領域に取付けられた枠部を備え、
前記補強部は、該枠部を支持する
請求項１〜７のいずれか１つに記載の建物。
【請求項９】
前記凸部と前記補強部とを斜めに連結する筋交い部材を備える
請求項１〜８のいずれか１つに記載の建物。
【発明の詳細な説明】
【技術分野】
【０００１】
本発明は建物に関する。詳しくは、例えば、コンテナを利用した建物に係るものである。
【背景技術】
【０００２】
住宅を構築する場合に、壁、床、屋根などの構造躯体を予めパネルにしておき、施工現場でパネルを組み立てることで住宅を構築するパネル工法と呼ばれる工法がある。
【０００３】
また、例えば壁パネル（壁本体）の外側表面には、胴縁が取付けられ、さらに胴縁に外装材が取付けられて、壁の意匠性が高められている。
【０００４】
例えば、特許文献１には、図５に示すような外壁構造が記載されている。すなわち、この外壁構造においては、外壁が、艤装壁パネル１１０を基礎１１２上に設置することにより形成されている。また、艤装壁パネル１１０は、壁パネル１０１と、この壁パネル１０１の外側の面材１０４に貼設された防水シート１０５と、防水シート１０５上に取付けられた胴縁１０６および水抜き胴縁１０９と、これら胴縁に取付けられた外装材１０７とにより構成されている。
【先行技術文献】
【特許文献】
【０００５】
【特許文献１】特開２００１−１５２５６６号公報
【発明の概要】
【発明が解決しようとする課題】
【０００６】
ところで、限られた敷地面積で可能な限り室内空間を広く取ろうとする場合、建物の壁の厚みを薄くする必要があるが、特許文献１に記載のような外壁構造では、壁パネルの外側の面材に胴縁を取付け、さらにこの胴縁に外装材を取付けているので、外装材と壁パネルとの間に間隔が形成され、壁全体の厚みが厚くなっていた。
また、壁の厚みが厚くなると、施工する際に、一般に多用される五寸釘等の施工釘ではなく、長い釘や長いビスが必要となるので、施工性が悪くなる。
【０００７】
本発明は、以上の点に鑑みて創案されたものであり、壁の厚みが薄く、かつ壁の強度を維持できる建物を提供することを目的とする。
【課題を解決するための手段】
【０００８】
上記の目的を達成するために、本発明の建物は、所定の面に凹部と凸部が略鉛直方向に設けられた壁本体と、該壁本体の前記凹部に配置された補強部とを備える。
【０００９】
ここで、壁本体の所定の面に凹部と凸部が略鉛直方向に設けられたことによって、凹部と凸部が略鉛直方向に設けられていない略同じ厚みの壁本体よりも、略鉛直方向の強度を高めることができる。
【００１０】
また、壁本体の凹部に配置された補強部によって、外装材や内装材の取り付けが可能となる。すなわち、補強部を胴縁の代わりに利用することで、外装材や内装材を補強部に取り付けることができるのである。
また、壁本体の凹部に配置された補強部によって、建物の壁の略鉛直方向における強度を補強できる。
【００１１】
また、本発明の建物において、補強部が、略鉛直方向に延びたものである場合、建物の例えば基礎まで略鉛直方向に延びて、略水平方向に壁本体に取付けられた部材を充分に支持することができる。
【００１２】
また、本発明の建物において、壁本体が、コンテナの金属製の壁を利用したものである場合、コンテナの金属製の壁には、すでに凹部と凸部が設けられているので、凹部と凸部を設ける必要がなく、建物の工期を短縮できる。
また、この場合、補強部が例えば金属製の管であれば、溶接で補強部を壁本体に取付けることができるので、補強部を取付ける際に、角材などを取付けるときのように釘などで壁本体に孔をあけずに済む。
【００１３】
また、本発明の建物において、補強部が、略水平方向の断面形状が略四角形状の金属製の管である場合、凹部の略水平方向の断面形状が台形のときには、凹部の面と管の一つの面とを合致させやすくなり、また、金属製なので、金属製の壁本体と溶接することができ、さらに、木材やプラスチックパイプを補強部として使用したときよりも強度が大きい。
【００１４】
また、本発明の建物において、凹部に配置された断熱材を備える場合、凹部や凸部が設けられていない通常の壁本体に断熱ボードを貼り付けるときよりも、壁の厚みを低減できる。
【００１５】
また、本発明の建物において、補強部の略水平方向の長さは、凹部の略水平方向の長さ以下である場合、補強部を凹部に納めることができる。
【００１６】
また、本発明の建物は、補強部に取付けられた壁装材を備えるものとすることができる。
【００１７】
また、本発明の建物は、壁本体に開口領域が設けられ、開口領域に取付けられた枠部を備え、補強部が、枠部を支持する場合、開口領域によって壁本体の強度が低下しても、補強部が開口領域に取付けられた枠部を支持するので、強度低下を補うことができる。
【００１８】
また、本発明の建物は、凸部と補強部とを斜めに連結する筋交い部材を備える場合、壁本体の凹凸による強化と補強部による強化に加えて、さらに筋交いによる強化も可能となる。
【発明の効果】
【００１９】
本発明に係る建物は、壁の厚みが薄く、かつ壁の強度を維持できる。
【図面の簡単な説明】
【００２０】
【図１】本発明を適用した建物の壁の略水平方向の概略分解断面図である。
【図２】本発明を適用した建物の他の例における壁の略水平方向の概略分解断面図である。
【図３】本発明を適用した建物の壁本体に窓を設け、さらに筋交い部材を用いた例を示す概略図である。
【図４】本発明を適用した建物の壁本体に筋交い部材を用いた例を示す概略拡大斜視図である。
【図５】従来の建物の外壁構造の概略断面図である。
【発明を実施するための形態】
【００２１】
以下、本発明の実施の形態について図面を参照しながら説明し、本発明の理解に供する。
図１は、本発明を適用した建物の壁の略水平方向の概略分解断面図である。
【００２２】
図１に示す本発明の建物１は、内側面と外側面に凹部２Ａと凸部２Ｂが略鉛直方向に設けられた壁本体２を備える。図１から判るように、内側面に設けられた凹部２Ａが外側面の凸部２Ｂに対応しており、また、外側面に設けられた凹部２Ａが内側面の凸部２Ｂに対応している。
【００２３】
また、図１に示すように、凹部２Ａや凸部２Ｂの略水平方向の断面形状は台形であるが、凹部や凸部が略鉛直方向に設けられていれば、必ずしもこの形状に限定されるものではなく、他の形状（波形状、四角形状など）でもよいことは勿論である。
【００２４】
ここで、壁本体２は、鉄道、トラック、専用船または飛行機での貨物輸送に用いる金属製の大型の箱であるコンテナの壁を利用したものである。
また、利用態様としては、コンテナの壁の一部を利用したり、コンテナ全体をそのまま利用したりすることができる。
【００２５】
また、図１に示す本発明の建物１は、壁本体２の凹部２Ａに配置された、略水平方向の断面形状が略四角形状の金属製の管（補強部の一例である。）３を備える。
【００２６】
ここで、金属製の管３は、凹部２Ａに沿って略鉛直方向に延びたものである。
また、金属製の管３の略水平方向の長さは、凹部２Ａの略水平方向の長さＬと略同じであるが、凹部２Ａの略水平方向の長さＬより短くてもよい。
【００２７】
また、図１に示す本発明の建物１は、凹部２Ａに配置された断熱材４を備える。
図１に示す例では、壁本体２の内側面に設けられた凹部２Ａに断熱材４が配置され、かつ、壁本体２の外側面に設けられた凹部２Ａの面のうち、内側面と略平行な面に沿って断熱材４が配置されている。
すなわち、断熱材４は、凹部２Ａ内に収まっている。
【００２８】
また、図１に示す本発明の建物１は、壁本体２の外側面の凹部２Ａに配置された金属製の管３に取付けられた外壁パネル（壁装材の一例である。）５を備える。
なお、図１では、便宜上、各部材を離して図示している。
【００２９】
また、図１に示す本発明の建物１は、壁本体２の内側面の凹部２Ａに配置された金属製の管３に取付けられた角板（壁装材の一例である。）６を備える。
【００３０】
また、図１に示す本発明の建物１は、角板６に取付けられた合板（壁装材の一例である。）７と、合板７に取付けられた石膏ボード（壁装材の一例である。）８とを備える。
【００３１】
ここで、本発明の建物が、所定の面に凹部と凸部が略鉛直方向に設けられた壁本体と、壁本体の凹部に配置された補強部とを備えていれば、必ずしも補強部は、凹部に沿って略鉛直方向に延びたものでなくてもよく、例えば、ブロック体のようなものであってもよい。
【００３２】
しかし、補強部が略鉛直方向に延びたものであれば、例えば、補強部が建物の基礎まで略鉛直方向に延びて、略水平方向に壁本体に取付けられた部材を充分に支持することができるので好ましい。
【００３３】
また、本発明の建物が、所定の面に凹部と凸部が略鉛直方向に設けられた壁本体と、壁本体の凹部に配置された補強部とを備えていれば、必ずしも補強部は、略水平方向の断面形状が略四角形状の金属製の管でなくてもよく、例えば略水平方向の断面形状が略円形状の金属製の管や、略水平方向の断面形状が略四角形状の木材でもよい。
【００３４】
しかし、補強部が、略水平方向の断面形状が略四角形状の金属製の管であれば、略水平方向の断面形状が略四角形状なので、凹部の略水平方向の断面形状が台形のときには、凹部の面と管の一つの面とを合致させやすくなり、また、金属製なので、金属製の壁本体と溶接することができ、さらに、木材やプラスチックパイプを補強部として使用したときよりも強度が大きいので好ましい。
【００３５】
また、本発明の建物が、所定の面に凹部と凸部が略鉛直方向に設けられた壁本体と、壁本体の凹部に配置された補強部とを備えていれば、必ずしも本発明の建物は、凹部を形成する壁本体の面に沿って配置された断熱材を備えていなくてもよい。
【００３６】
しかし、本発明の建物が、凹部を形成する壁本体の面に沿って配置された断熱材を備えていれば、凹部や凸部が設けられていない通常の壁本体に断熱ボードなどを貼り付けるときよりも、壁の厚みを低減できるので好ましい。
【００３７】
また、図１に示す例では、壁本体の外側面に設けられた凹部と内側面に設けられた凹部の両方のすべての凹部に金属製の管が配置され、金属製の管が配置された凹部に断熱材が配置された場合を説明した。
しかし、例えば、金属製の管が外側面に設けられた凹部にだけ配置された場合でも、内側面に設けられた凹部に断熱材を配置でき、この場合でも凹部や凸部が設けられていない通常の壁本体に断熱ボードなどを貼り付けるときよりも、壁の厚みを低減できる。
【００３８】
また、例えば、壁本体の外側面と内側面の両方に凹部が設けられていても、すべての凹部に金属製の管を配置せず、金属製の管が配置されていない外側面の凹部や、金属製の管が配置されていない内側面の凹部に断熱材を配置した場合でも、凹部や凸部が設けられていない通常の壁本体に断熱ボードなどを貼り付けるときよりも、壁の厚みを低減できる。
【００３９】
また、壁装材の例として、外壁パネル、角板、合板および石膏ボードを挙げて説明したが、必ずしもこの種の壁装材に限定されるものではないことは勿論である。
【００４０】
また、壁本体の外側面に取付けられる壁装材が外壁パネル１層であり、壁本体の内側面に取付けられる壁装材が、角板、合板および石膏ボードの３層である例を説明したが、必ずしもこのような態様に限定されるものではなく、例えば、壁本体の外側面に取付けられる壁装材が２層以上であり、壁本体の内側面に取付けられる壁装材が１層であってもよい。
【００４１】
また、外壁パネルや角板を、壁本体ではなく金属製の管に取付ける理由は、外壁パネルや角板を取付ける際に、釘などで壁本体に穴をあけて、壁本体の強度を低下させたくないからである。
【００４２】
また、壁本体２の外側面と内側面に設けられた凹部２Ａに配置された金属製の管３を、外壁パネル５や角板６を取付けるために使用できるので、従来のように外壁パネルや角板を取付けるために胴縁を使用する必要がなく、胴縁の分だけ、壁の厚みを薄くすることができる。
【００４３】
図２は、本発明を適用した建物の他の例における壁の略水平方向の概略分解断面図である。
【００４４】
図２に示す本発明の建物１は、外側面に凹部２Ａと凸部２Ｂが略鉛直方向に設けられた壁本体２を備える。図１に示した例と異なり、図２に示す本発明の建物１の壁本体２は、外側面にのみ凹部２Ａと凸部２Ｂが略鉛直方向に設けられ、内側面には凹部と凸部は設けられておらず、内側面は平坦である。
また、壁本体２は金属製である。
【００４５】
また、図２に示す本発明の建物１は、壁本体２の凹部２Ａに配置された、略水平方向の断面形状が略四角形状の金属製の管３を備える。
【００４６】
ここで、金属製の管３は、凹部２Ａに沿って略鉛直方向に延びたものである。
また、金属製の管３の略水平方向の長さは、凹部２Ａの略水平方向の長さＬより短い。
【００４７】
また、図２に示す本発明の建物１は、壁本体２の平坦な内側面に取付けられた胴縁９を備え、さらに胴縁９に取付けられた角板６を備える。
【００４８】
また、図２に示す本発明の建物１は、角板６に取付けられた合板７と、合板７に取付けられた石膏ボード８とを備える。
なお、図２では、便宜上、各部材を離して図示している。
【００４９】
また、壁本体２の外側面に設けられた凹部２Ａに配置された金属製の管３を、外壁パネル５を取付けるために使用できるので、従来のように外壁パネルを取付けるために胴縁を使用する必要がなく、胴縁の分だけ、壁の厚みを薄くすることができる。
【００５０】
また、図２に示す例では、断熱材を省略しているが、凹部や凸部が設けられていない通常の壁本体に断熱ボードなどを貼り付けるときよりも、凹部に断熱材を配置できるので、壁の厚みを低減できる。
【００５１】
図３は、本発明を適用した建物の壁本体に窓を設け、さらに筋交い部材を用いた例を示す概略図である。
図３に示す本発明の建物１は、内側面と外側面に凹部２Ａと凸部２Ｂが略鉛直方向に設けられた壁本体２を備える。なお、建物の内側の構造および外壁パネルは省略する。
また、壁本体２は、コンクリート製の基礎１０に設置されており、凹部２Ａと凸部２Ｂは基礎１０にまで到達している。
【００５２】
また、図３に示す本発明の建物１は、壁本体２の凹部２Ａに配置された、略水平方向の断面形状が略四角形状の金属製の管３を備える。
ここで、金属製の管３は、凹部２Ａに沿って略鉛直方向に延びて、基礎１０にまで到達している。
【００５３】
また、図３に示す本発明の建物１は、壁本体２に窓（開口領域の一例である。）１１が設けられており、窓１１に取付けられた窓枠（枠部の一例である。）１２を備える。
【００５４】
また、窓枠１２の下方に位置する金属製の管３は、窓枠１２を支持する役割も果たしている。
【００５５】
また、図３に示す本発明の建物１は、凸部２Ｂと金属製の管３とを斜めに連結する筋交い部材１３を備える。
【００５６】
また、図４は、本発明を適用した建物の壁本体に筋交い部材を用いた例を示す概略拡大斜視図である。
ここで、壁本体２の外側面と内側面に凹部２Ａと凸部２Ｂが設けられているので、凹部２Ａや凸部２Ｂを形成する箇所の厚みが薄くなり、貫通孔を形成しやすくなる。
また、金属製の管３も中空状であるから貫通孔を形成しやすい。
【００５７】
従って、壁本体２に貫通孔を形成すると共に、金属製の管３にも貫通孔を形成して、壁本体２の貫通孔と金属製の管３の貫通孔に、筋交い部材１３を通して、図４に示すように、筋交い部材１３を、凹部２Ａ、凸部２Ｂ、および金属製の管３を貫くように取付けることができ、筋交いによる強化を壁本体の略中央において行いやすい。
【００５８】
以上のように、本発明の建物は、凹部と凸部が略鉛直方向に設けられた壁本体によって、凹部と凸部が略鉛直方向に設けられているので、凹部と凸部が略鉛直方向に設けられていない略同じ厚みの壁本体よりも、略鉛直方向の強度を高めることができる。
また、壁本体の凹部に配置された補強部によって、補強部を胴縁の代わりに利用して、外装材や内装材を補強部に取付けることができ、また、建物の壁の略鉛直方向における強度を補強できる。
【００５９】
従って、本発明の建物は、壁の厚みが薄く、かつ壁の強度を維持できる。
しかも、このような壁本体として、コンテナの金属製の壁を利用しているので、コンテナの壁にはすでに凹部と凸部が設けられていることから、凹部と凸部を設ける必要がなく、建物の工期を短縮できる。
【符号の説明】
【００６０】
１    建物
２    壁本体
２Ａ  凹部
２Ｂ  凸部
３    金属製の管
４    断熱材
５    外壁パネル
６    角板
７    合板
８    石膏ボード
９    胴縁
１０    基礎
１１    窓
１２    窓枠
１３    筋交い部材
【図１】
2014114644.tif 000003
【図２】
2014114644.tif 000004
【図３】
2014114644.tif 000005
【図４】
2014114644.tif 000006
【図５】
2014114644.tif 000007